(57)【特許請求の範囲】
【請求項１】
編集物の作成の基となるテンプレートであってサンプル情報が予め設定されたテンプレートと前記テンプレートに対する編集情報とに基づいて編集物を作成する編集物作成手段と、
前記テンプレートと前記編集情報とを対応付けて管理する管理手段と、
前記編集情報を用いて前記テンプレートを検索する検索手段と、
を有するテンプレート管理装置。
【請求項２】
前記サンプル情報が設定されたテンプレートを表す第１画像データ、及び、前記編集物を表す第２画像データを生成する画像生成手段を更に有し、
前記検索手段は、前記テンプレートの検索結果として、前記第１画像データ及び前記第２画像データの中の少なくとも１つを出力する、
ことを特徴とする請求項１に記載のテンプレート管理装置。
【請求項３】
前記画像生成手段は、非公開情報に該当する前記編集情報を別の情報に置換して前記第２画像データを生成する、
ことを特徴とする請求項２に記載のテンプレート管理装置。
【請求項４】
コンピュータを、
編集物の作成の基となるテンプレートであってサンプル情報が予め設定されたテンプレートと前記テンプレートに対する編集情報とに基づいて編集物を作成する編集物作成手段と、
前記テンプレートと前記編集情報とを対応付けて管理する管理手段と、
前記編集情報を用いて前記テンプレートを検索する検索手段と、
として機能させるプログラム。
【発明の詳細な説明】
【技術分野】
【０００１】
本発明は、テンプレート管理装置及びプログラムに関する。
【背景技術】
【０００２】
チラシ、広告、ダイレクトメール（ＤＭ）、ポスター、はがき又はカタログ等の文書や画像を作成するための技術が知られている。例えば、デザインの異なる複数種類のテンプレートが予め用意され、ユーザがテンプレートを選択して編集することにより、新たな文書や画像が作成される場合がある。
【０００３】
特許文献１に記載の装置においては、文書に関連文書情報が対応付けられており、文書の検索結果を表示する際に、関連文書の一覧が表示される。
【０００４】
特許文献２に記載の装置においては、各ファイルデータ間の関連深い部分を定義したリンク情報が設定され、ファイルデータの検索時にそのリンク情報が表示される。
【０００５】
特許文献３に記載の装置においては、ＣＡＤデータの検索時に、ＣＡＤデータに関連するデータが表示される。
【先行技術文献】
【特許文献】
【０００６】
【特許文献１】特開平８−３３５２２１号公報
【特許文献２】特開平７−１４６８７０号公報
【特許文献３】特開平７−２８８８２号公報
【発明の概要】
【発明が解決しようとする課題】
【０００７】
個々のテンプレートがどのような用途に適しているのかをユーザに分かりやすく伝えるために、テンプレートにサンプル情報（サンプル文字列やサンプル画像等）が予め設定されている場合がある。この場合、ユーザがサンプル情報を参照することにより目的のテンプレートを選択する、又は、サンプル情報を用いてテンプレートを検索することが想定される。
【０００８】
ところで、ある用途に適しているテンプレートが別の用途に適している場合があり得るが、そのことをサンプル情報からユーザが認識することは容易ではない。それ故、使用目的に適しているテンプレートが存在している場合であっても、そのテンプレートを選択したり検索したりすることが可能でない場合がある。例えば、飲食に関するサンプル情報が設定されているテンプレートが、美容室のチラシの作成に適していることがあり得る。そのテンプレートには美容室に関するサンプル情報が設定されているわけではないので、美容室のチラシを作成する際に、そのテンプレートを選択したり検索したりすることが可能でない場合がある。
【０００９】
本発明の目的は、テンプレートに予め設定されている情報以外の情報を利用してテンプレートが検索されるようにすることである。
【課題を解決するための手段】
【００１０】
請求項１に係る発明は、編集物の作成の基となるテンプレートであってサンプル情報が予め設定されたテンプレートと前記テンプレートに対する編集情報とに基づいて編集物を作成する編集物作成手段と、前記テンプレートと前記編集情報とを対応付けて管理する管理手段と、前記編集情報を用いて前記テンプレートを検索する検索手段と、を有するテンプレート管理装置である。
【００１１】
請求項２に係る発明は、前記サンプル情報が設定されたテンプレートを表す第１画像データ、及び、前記編集物を表す第２画像データを生成する画像生成手段を更に有し、前記検索手段は、前記テンプレートの検索結果として、前記第１画像データ及び前記第２画像データの中の少なくとも１つを出力する、ことを特徴とする請求項１に記載のテンプレート管理装置である。
【００１２】
請求項３に係る発明は、前記画像生成手段は、非公開情報に該当する前記編集情報を別の情報に置換して前記第２画像データを生成する、ことを特徴とする請求項２に記載のテンプレート管理装置である。
【００１３】
請求項４に係る発明は、コンピュータを、編集物の作成の基となるテンプレートであってサンプル情報が予め設定されたテンプレートと前記テンプレートに対する編集情報とに基づいて編集物を作成する編集物作成手段と、前記テンプレートと前記編集情報とを対応付けて管理する管理手段と、前記編集情報を用いて前記テンプレートを検索する検索手段と、として機能させるプログラムである。
【発明の効果】
【００１４】
請求項１，４に係る発明によると、テンプレートに予め設定されている情報以外の情報を利用してテンプレートが検索されるようになる。
【００１５】
請求項２に係る発明によると、ユーザがテンプレートを選択する上で参考となる情報が提供される。
【００１６】
請求項３に係る発明によると、非公開対象の情報が公開されずに済む。
【図面の簡単な説明】
【００１７】
【図１】本発明の実施形態に係るテンプレート管理システムの一例を示すブロック図である。
【図２】本実施形態に係るテンプレート管理装置の一例を示すブロック図である。
【図３】テンプレートの構成を模式的に示す図である。
【図４】テンプレートと編集物を模式的に示す図である。
【図５】テンプレートと可変情報を模式的に示す図である。
【図６】テンプレート情報ＤＢ、サムネイル画像ＤＢ及び可変情報ＤＢの構成を示す図である。
【図７】テンプレート登録処理の一例を示すフローチャートである。
【図８】編集物作成時における可変情報登録処理の一例を示すフローチャートである。
【図９】テンプレート検索処理の一例を示すフローチャートである。
【図１０】テンプレート検索結果の画面の一例を示す図である。
【発明を実施するための形態】
【００１８】
図１には、本発明の実施形態に係るテンプレート管理システムの一例が示されている。本実施形態に係るテンプレート管理システムは、一例として、テンプレート管理装置１０、提供者用端末装置５０及び利用者用端末装置６０を含む。テンプレート管理装置１０、提供者用端末装置５０及び利用者用端末装置６０は、通信経路Ｎに接続されている。通信経路Ｎは、例えばインターネット等のネットワークである。図１に示す例では、１つの提供者用端末装置５０と１つの利用者用端末装置６０が通信経路Ｎに接続されているが、複数の提供者用端末装置５０と複数の利用者用端末装置６０が通信経路Ｎに接続されてもよい。
【００１９】
テンプレート管理装置１０は、文書や画像等の編集物を作成するためのテンプレートのデータを記憶しており、要求に応じてテンプレートを編集する機能を備えている。また、テンプレート管理装置１０は、提供者用端末装置５０及び利用者用端末装置６０との間でデータの送受信を行う機能を備えている。
【００２０】
提供者用端末装置５０は、テンプレート管理装置１０へのテンプレートの登録時に使用される装置である。提供者用端末装置５０は、テンプレート管理装置１０との間でデータの送受信を行う機能を備えている。例えば、テンプレートは提供者によって作成され、提供者用端末装置５０からテンプレート管理装置１０に送信されてテンプレート管理装置１０に登録される。
【００２１】
利用者用端末装置６０は、テンプレートを利用して編集物を作成するときに使用される装置である。利用者用端末装置６０は、テンプレート管理装置１０との間でデータの送受信を行う機能を備えている。例えば、テンプレートに基づいて作成された編集物のデータが、テンプレート管理装置１０から利用者用端末装置６０に送信される。
【００２２】
提供者用端末装置５０と利用者用端末装置６０は、例えば、パーソナルコンピュータ（ＰＣ）、タブレットＰＣ、スマートフォン又は携帯電話等の装置であり、キーボードやマウスやタッチパネル等の操作部、ディスプレイとして機能する表示部、通信インターフェースとして機能する通信部、及び、ＣＰＵを含む制御部を備えている。なお、提供者用端末装置５０と利用者用端末装置６０は、同一の端末装置であってもよいし、テンプレート管理装置１０に組み込まれていてもよい。
【００２３】
本実施形態に係るテンプレート管理システムにおいては、一例として、提供者用端末装置５０からテンプレート管理装置１０にテンプレートのデータが送信され、テンプレート管理装置１０にテンプレートが登録される。また、テンプレート管理装置１０においてテンプレートが編集され、編集物のデータがテンプレート管理装置１０から利用者用端末装置６０に送信される。
【００２４】
図２には、テンプレート管理装置１０の一例が示されている。
【００２５】
通信部１２は通信インターフェースであり、外部装置との間でデータの送受信を行う機能を備えている。例えば、通信部１２は、通信経路Ｎを介して、提供者用端末装置５０からテンプレートのデータを受信し、利用者用端末装置６０に編集物のデータを送信する。Ｗｅｂサーバ１４は、一般的なＷｅｂサーバとして機能する。
【００２６】
テンプレート登録部１６は、テンプレートのデータとサンプル情報とを提供者用端末装置５０から受けてテンプレート管理装置１０に登録する機能を備えている。テンプレートは、例えば、チラシ、広告、ダイレクトメール（ＤＭ）、ポスター、はがき又はカタログ等の編集物（文書や画像）を作成するための雛型のデータである。サンプル情報は、サンプルとして作成された文字列（サンプル文字列）や画像（サンプル画像）である。サンプル情報として、サンプル文字列とサンプル画像の両方が用いられてもよいし、いずれか一方が用いられてもよい。サンプル情報は、ユーザによる編集が許可された情報であり、サンプル情報が編集されることにより、テンプレートに依拠した編集物（文書や画像）が作成される。
【００２７】
以下の説明において、テンプレートに予め設定されているサンプル情報と、ユーザによって入力された編集情報（例えば、ユーザによってサンプル情報が編集されることにより作成された編集情報）とを、ユーザによる編集が許可された情報であるという意味で、「可変情報」と称する場合がある。
【００２８】
テンプレート管理部１８は、テンプレートの追加、削除、編集及び表示処理を行う機能を備えている。例えば、テンプレート管理部１８は、テンプレートのデータをテンプレート情報ＤＢ（テンプレート情報データベース）２０に記憶させる。このとき、テンプレート管理部１８は、テンプレートを識別するためのテンプレート識別情報（例えばテンプレートＩＤやテンプレート名等の情報）をテンプレートに対応付ける。テンプレート識別情報は、テンプレート管理部１８によって作成されてもよいし、他の管理部や装置によって作成されてもよい。
【００２９】
また、テンプレート管理部１８は、テンプレートを提供者用端末装置５０や利用者用端末装置６０等の端末装置に表示させる機能を備えている。例えば、テンプレート管理部１８は、テンプレートのサムネイル画像（縮小画像）を端末装置に表示させる機能、検索されたテンプレート又はそのサムネイル画像を端末装置に表示させる機能、及び、指定されたテンプレートを端末装置に表示させる機能等を備えている。
【００３０】
テンプレート情報ＤＢ２０は例えばハードディスク等の記憶装置であり、テンプレートのデータやメタ情報を記憶する。
【００３１】
サムネイル作成部２２は、サンプル情報付きのテンプレートのサムネイル画像を作成する機能を備えている。また、ユーザによってテンプレートが編集されて編集物が作成された場合、サムネイル作成部２２は、その編集物のサムネイル画像を作成する機能を備えている。
【００３２】
サムネイル管理部２４は、サムネイル画像とテンプレートとを対応付けて管理する。具体的には、サムネイル管理部２４は、サムネイル作成部２２によって作成されたサムネイル画像のデータをサムネイル画像ＤＢ（サムネイル画像データベース）２６に記憶させる。このとき、サムネイル管理部２４は、テンプレート識別情報と、サムネイル画像を識別するためのサムネイル識別情報（例えばサムネイルＩＤ）と、テンプレート又は編集物に設定されている可変情報（サンプル情報又は編集情報）の一式を識別するための可変情報識別情報（例えば可変情報ＩＤ）と、をサムネイル画像に対応付ける。サムネイル識別情報は、例えば、サムネイル作成部２２又はサムネイル管理部２４によって作成される。可変情報識別情報は、例えば、テンプレート管理部１８によって作成されてもよいし、後述する可変情報管理部２８や他の装置によって作成されてもよい。
【００３３】
例えば、サンプル情報付きのテンプレートのサムネイル画像には、そのテンプレートのテンプレート識別情報と、サムネイル識別情報と、そのサンプル情報の一式を識別するための可変情報識別情報と、が対応付けられる。一方、編集物のサムネイル画像には、その編集物の作成に用いられたテンプレートのテンプレート識別情報と、サムネイル識別情報と、その編集物に含まれる編集情報の一式を識別するための可変情報識別情報と、が対応付けられる。
【００３４】
サムネイル画像ＤＢ２６はハードディスク等の記憶装置であり、サムネイル画像のデータを記憶する。サムネイル画像のデータには、テンプレート識別情報とサムネイル識別情報と可変情報識別情報とが対応付けられている。
【００３５】
可変情報管理部２８は、テンプレートや編集物に設定されている可変情報（サンプル情報、編集情報）とテンプレートとを対応付けて管理する。具体的には、可変情報管理部２８は、テンプレートに予め設定されているサンプル情報を可変情報として可変情報ＤＢ（可変情報データベース）３０に記憶させ、同様に、テンプレートに基づいて作成された編集物に設定されている編集情報を可変情報として可変情報ＤＢ３０に記憶させる。このとき、可変情報管理部２８は、テンプレート識別情報と、可変情報識別情報と、サンプル情報フラグ情報と、を可変情報（サンプル情報、編集情報）に対応付ける。サンプル情報フラグ情報は、可変情報がサンプル情報又は編集情報のいずれに該当するかを示す情報である。
【００３６】
例えば、サンプル情報には、そのサンプル情報が設定されているテンプレートのテンプレート識別情報と、そのサンプル情報の一式を識別するための可変情報識別情報と、サンプル情報であることを示すサンプル情報フラグ情報と、が対応付けられる。一方、編集情報には、その編集情報の編集前のサンプル情報が設定されているテンプレートのテンプレート識別情報（つまり、編集物の作成に用いられたテンプレートのテンプレート識別情報）と、その編集情報の一式を識別するための可変情報識別情報と、編集情報であることを示すサンプル情報フラグ情報と、が対応付けられる。
【００３７】
可変情報ＤＢ３０はハードディスク等の記憶装置であり、可変情報（サンプル情報、編集情報）を記憶する。可変情報には、テンプレート識別情報と可変情報識別情報とサンプル情報フラグ情報とが対応付けられている。
【００３８】
上記のように、テンプレート、サムネイル画像及び可変情報（サンプル情報、編集情報）は、テンプレート管理部１８、サムネイル管理部２４及び可変情報管理部２８によって管理されることになる。
【００３９】
非公開情報管理部３２は、ユーザによって入力された編集情報（可変情報）が非公開情報に該当するか否かを判定する。例えば、編集情報がユーザの個人情報（ユーザの氏名、住所、電話番号、電子メールアドレス、生年月日、ユーザの画像等）に該当する場合、その編集情報は非公開情報に該当する。この判定は、例えば、入力された編集情報のデータ形式によって行われる。また、ユーザによって非公開か否かが指定されてもよい。編集情報が非公開情報に該当する場合、非公開情報管理部３２は、その編集情報を、公開が許可された代替情報に置き換える。この代替情報は予め作成されてテンプレート管理装置１０に記憶されている。編集情報が文字列の場合、その編集情報は、公開が許可された代替文字列に置き換えられ、編集情報が画像の場合、その編集情報は、公開が許可された代替画像（例えば類似する画像）に置き換えられる。非公開情報に該当する編集情報自体は可変情報ＤＢ３０に登録されず、置換後の編集情報が可変情報として可変情報ＤＢ３０に登録される。なお、置換後の編集情報も可変情報ＤＢ３０に登録されなくてもよい。後述するように、可変情報（サンプル情報、編集情報）を利用することにより、テンプレート検索処理が実行される。非公開情報に該当する編集情報は、このテンプレート検索処理の対象にはならない。
【００４０】
画像ＤＢ（画像データベース）３４はハードディスク等の記憶装置であり、非公開情報管理部３２によって利用される置換用の画像データを記憶する。
【００４１】
可変情報受付部３６は、テンプレートに基づいて編集物が作成されるときに、利用者用端末装置６０から入力された編集情報（可変情報）を受け付ける。
【００４２】
編集物作成部３８は、テンプレートと編集情報（可変情報）とに基づいて編集物を作成する。この編集物のデータは、通信部１２によって、利用者用端末装置６０に送信される。
【００４３】
検索条件受付部４０は、テンプレート検索処理の実行時において、利用者用端末装置６０から入力された検索条件を示す情報（検索条件情報）を受け付ける。検索条件情報として、例えば、テンプレート名、テンプレートＩＤ、検索キーワード、画像属性情報等が利用される。
【００４４】
テンプレート検索部４２は、検索条件情報に合致するテンプレートを検索する。その検索結果のデータは、通信部１２によって、利用者用端末装置６０に送信される。例えば、テンプレート情報ＤＢ２０において、検索条件情報に対応するテンプレートが検索され、サムネイル画像ＤＢ２６において、検索条件情報に対応するサムネイル画像が検索され、可変情報ＤＢ３０において、検索条件情報に対応する可変情報が検索される。そして、サムネイル画像のデータやテンプレート識別情報等が、検索結果のデータとして、利用者用端末装置６０に送信される。
【００４５】
一例として、キーワードが検索条件情報として用いられる場合、可変情報ＤＢ３０において、そのキーワードに適合する可変情報（サンプル情報、編集情報）が検索され、更に、その可変情報に対応付けられているテンプレート識別情報が特定される。可変情報が文字列の場合、その文字列に対して検索処理が実行され、可変情報が画像の場合、その画像の内容を表す画像属性情報（キーワードやタグ情報等）に対して検索処理が実行される。なお、画像には、その画像属性情報が予め設定されている。そして、テンプレート情報ＤＢ２０において、そのテンプレート識別情報が対応付けられているテンプレートが検索される。また、サムネイル画像ＤＢ２６において、そのテンプレート識別情報が対応付けられているサムネイル画像（テンプレート自体のサムネイル画像、編集物のサムネイル画像）が検索される。そして、テンプレート識別情報やサムネイル画像のデータが、検索結果のデータとして、利用者用端末装置６０に送信される。
【００４６】
次に、テンプレートについて説明する。テンプレートは、一例として、１又は複数のデザイン領域によって構成されている。デザイン領域としては、例えば、文字領域、画像領域及び図形領域等がある。文字領域には文字列が入力される。文字領域には、例えば、表題（タイトル）の文字領域や、本文の文字領域等がある。画像領域には、例えば、ビットマップ形式の画像データが設定される。図形領域には、例えば、ベクター形式で表された図形データが設定される。テンプレートは、一例として、文字領域、画像領域、図形領域、データ容量情報及び各領域の配置位置情報等を含むデータである。
【００４７】
テンプレートには、予め作成されたサンプル情報が設定されている。サンプル情報は、例えば、テンプレートの提供者によって予め作成されたデータである。サンプル情報がユーザによって編集されることにより、テンプレートに依拠したデザインの編集物が作成される。なお、テンプレートには、ユーザによる編集が許可された領域の他、ユーザによる編集が禁止された領域が含まれていてもよい。
【００４８】
テンプレートの編集時には、ユーザが利用者用端末装置６０を使用することにより、個々のデザイン領域の内容が編集される。なお、編集には、デザイン領域の内容の加工及び変更が含まれる。例えば、表題の文字領域や本文の文字領域については、文字列、フォントの種類、フォントサイズ、文字の色、文字の配置位置等が、ユーザによって編集される。画像領域については、画像のデザイン、画像の種類、画像の大きさ、画像の配置位置等が、ユーザによって編集される。図形領域については、図形の色、図形の透明度（影の度合い）、図形の大きさ、図形の配置位置等が、ユーザによって編集される。このように、サンプル情報がユーザによって編集されることにより、テンプレートに依拠したデザインの編集物が作成される。
【００４９】
図３には、テンプレートの一例が示されている。テンプレート１００は、一例として、ユーザによる編集が禁止されたベース部分１１０と、ユーザによる差し替えが許可された背景画像１２０と、ユーザによる編集が許可された文字列領域１３０〜１３８と、を含んで構成されている。図３に示す例では、背景画像１２０が画像領域に相当し、文字列領域１３０〜１３８が文字領域に相当する。文字列領域１３０〜１３８には文字列が入力される。例えば、背景画像１２０としてサンプル画像が用いられ、文字列領域１３０〜１３８にはサンプル文字列が予め入力される。サンプル付きテンプレート２００は、サンプル画像とサンプル文字列とが入力されたテンプレートである。テンプレート１００のデータはテンプレート情報ＤＢ２０に記憶される。このとき、テンプレート１００のテンプレート識別情報がテンプレート情報ＤＢ２０において管理される。また、サンプル画像のデータとサンプル文字列のデータとが、可変情報（サンプル情報）として可変情報ＤＢに記憶される。このとき、テンプレート１００のテンプレート識別情報と、サンプル情報の一式を識別するための可変情報識別情報と、サンプル情報であることを示すサンプル情報フラグ情報と、が対応付けられて可変情報ＤＢ３０において管理される。図３に示す例では、背景画像１２０と文字列領域１３０〜１３８に入力されたサンプル文字列とがサンプル情報の一式に該当し、可変情報識別情報は、その一式（背景画像１２０及び文字列領域１３０〜１３８に入力されたサンプル文字列）を識別するための情報である。また、サンプル付きテンプレート２００のサムネイル画像が作成され、サムネイル画像ＤＢ２６に記憶される。このとき、テンプレート１００のテンプレート識別情報と、サムネイル識別情報と、可変情報識別情報と、が対応付けられてサムネイル画像ＤＢ２６において管理される。
【００５０】
サンプル付きテンプレート２００は、一例として、ピザ店オープン用のチラシとして作成されたものであるが、文字列や画像を変えることにより、他の用途に使用されることが想定される。
【００５１】
背景画像１２０がユーザによって差し替えられ、文字列領域１３０〜１３８内の文字列がユーザによって編集されることにより、サンプル付きテンプレート２００を基礎としたデザインの編集物が作成されるようになっている。例えば図４に示すように、サンプル付きテンプレート２００内の可変情報（背景画像や文字列）を変更することにより、編集物３００（例えば旅行用のパンフレット）が作成されることもあり得る。編集物３００が作成されると、変更後の背景画像のデータと文字列のデータとが、可変情報（編集情報）として可変情報ＤＢ３０に記憶される。このとき、テンプレート１００のテンプレート識別情報と、編集情報の一式を識別するための可変情報識別情報と、編集情報であることを示すサンプル情報フラグ情報と、が対応付けられて可変情報ＤＢ３０において管理される。図４に示す例では、編集物３００の背景画像（背景画像１２０から差し替えられた画像）と文字列領域１３０〜１３８に入力された文字列とがサンプル情報の一式に該当し、可変情報識別情報は、その一式（差し替えられた画像と、文字列領域１３０〜１３８に入力された文字列）を識別するための情報である。また、編集物３００のサムネイル画像が作成され、サムネイル画像ＤＢ２６に記憶される。このとき、テンプレート１００のテンプレート識別情報と、サムネイル識別情報と、可変情報識別情報と、が対応付けられてサムネイル画像ＤＢ２６において管理される。なお、非公開情報に該当する編集情報（可変情報）が編集物３００に含まれる場合、その編集情報は代替情報に置換される。
【００５２】
図５には、テンプレート１００、サンプル情報付きテンプレート２００、及び、編集物３００が示されている。本実施形態では、予め作成されたサンプル情報付きテンプレート２００に設定されているサンプル情報（文字列群２１０、画像２２０）のみならず、ユーザによって作成された編集物３００に設定されている編集情報（文字列群３１０、画像３２０）も、可変情報として可変情報ＤＢ３０に登録される。そして、テンプレート検索処理において、サンプル情報のみならず、ユーザによって入力された編集情報も利用される。なお、非公開情報に該当する編集情報は検索対象とならない。
【００５３】
図６には、テンプレート管理テーブル、サムネイル画像管理テーブル及び可変情報管理テーブルの一例が示されている。テンプレート管理テーブルは、テンプレート管理部１８によって作成されてテンプレート情報ＤＢ２０に記憶される。サムネイル画像管理テーブルは、サムネイル管理部２４によって作成されてサムネイル画像ＤＢ２６に記憶される。可変情報管理テーブルは、可変情報管理部２８によって作成されて可変情報ＤＢ３０に記憶される。
【００５４】
テンプレート管理テーブルにおいては、例えば、テンプレートＩＤ、テンプレート名、テンプレートの登録日、及び、テンプレートの定義内容が対応付けられている。テンプレートＩＤとテンプレート名は、テンプレート識別情報の一例である。テンプレートＩＤやテンプレート名によって、テンプレートが検索されるようになっている。
【００５５】
サムネイル画像管理テーブルにおいては、例えば、テンプレートＩＤ、可変情報ＩＤ、及び、サムネイルＩＤが対応付けられている。サムネイルＩＤは、サムネイル識別情報の一例であり、サンプル情報付きテンプレートのサムネイル画像を識別するためのＩＤ、又は、編集物のサムネイル画像を識別するためのＩＤ、である。可変情報ＩＤは、テンプレートに設定されているサンプル情報（可変情報）を識別するためのＩＤ、又は、編集物に設定されている編集情報（可変情報）を識別するためのＩＤ、である。
【００５６】
可変情報管理テーブルにおいては、例えば、テンプレートＩＤ、サンプル情報フラグ、可変情報ＩＤ、オブジェクトＩＤ、及び、可変情報が対応付けられている。サンプル情報フラグは、登録されている可変情報がサンプル情報又は編集情報のいずれに該当するかを示す情報である。サンプル情報フラグが「１」の可変情報はサンプル情報であり、サンプル情報フラグが「０」の可変情報は編集情報である。オブジェクトＩＤは、テンプレート内における可変情報の設定場所を示すＩＤである。なお、可変情報が画像の場合、可変情報の欄には、その画像の識別情報としてのＩＤが記録される。
【００５７】
以下、テンプレート管理装置１０の具体的な処理について説明する。
【００５８】
（テンプレート登録処理）
図７に示されているフローチャートを参照して、テンプレート登録処理について説明する。
【００５９】
まず、テンプレートの提供者が提供者用端末装置５０を利用してアクセス指示とテンプレート登録指示を与えると、提供者用端末装置５０がテンプレート管理装置１０にアクセスし、登録用データ（テンプレートのデータとサンプル情報）をテンプレート管理装置１０に送信する（Ｓ０１）。例えば、図５に示されているサンプル情報付きテンプレート２００のデータが、提供者用端末装置５０からテンプレート管理装置１０に送信されたものとする。
【００６０】
テンプレート管理装置１０においては、通信部１２が登録用データを受信し、テンプレート管理部１８が、テンプレートをテンプレート情報ＤＢ２０に登録する（Ｓ０２）。テンプレート管理部１８は、テンプレートＩＤやテンプレート名等を互いに対応付け、図６に示されているテンプレート管理テーブルによって、それらの情報を管理する。例えば、図５に示されているテンプレート１００のテンプレートＩＤやテンプレート名等が管理される。
【００６１】
次に、サムネイル作成部２２が、テンプレートとサンプル情報とに基づいて、サンプル情報付きテンプレートのサムネイル画像を作成する（Ｓ０３）。例えば、サンプル情報付きテンプレート２００のサムネイル画像が作成される。このサムネイル画像のデータは、サムネイル画像ＤＢ２６に記憶される（Ｓ０４）。
【００６２】
次に、可変情報管理部２８が、登録用データの中のサンプル情報を抽出し（Ｓ０５）、そのサンプル情報を可変情報として可変情報ＤＢ３０に登録する（Ｓ０６）。図５に示す例では、文字列群２１０と画像２２０が抽出され、それらが可変情報として可変情報ＤＢ３０に登録される。可変情報管理部２８は、テンプレートＩＤ、サンプル情報フラグ、可変情報ＩＤ、オブジェクトＩＤ、及び、可変情報を互いに対応付け、図６に示されている可変情報管理テーブルによって、それらの情報を管理する。可変情報は予め設定されたサンプル情報であるため、サンプル情報フラグは「１」に設定される。可変情報ＩＤは、テンプレートに設定されているサンプル情報の一式を識別するためのＩＤである。図５に示す例で説明すると、可変情報ＩＤは、文字列群２１０及び画像２２０の一式を識別するためのＩＤである。
【００６３】
また、サムネイル管理部２４は、テンプレートＩＤ、可変情報ＩＤ及びサムネイルＩＤを互いに対応付け、図６に示されているサムネイル画像管理テーブルによって、それらの情報を管理する。例えば、テンプレート１００のテンプレートＩＤ、文字列群２１０及び画像２２０の一式を識別するための可変情報ＩＤ、及び、サンプル情報付きテンプレート２００のサムネイル画像のサムネイルＩＤ、が互いに対応付けられる。
【００６４】
登録用データに含まれる全サンプル情報に対してステップＳ０５，Ｓ０６の処理が完了した場合（Ｓ０７，Ｙｅｓ）、テンプレート登録処理は終了する。全サンプル情報に対するステップＳ０５，Ｓ０６の処理が完了していない場合（Ｓ０７，Ｎｏ）、処理はステップＳ０５に戻る。そして、全サンプル情報に対する処理が完了するまで、ステップＳ０５，Ｓ０６の処理が繰り返し実行される。
【００６５】
（編集物作成時における可変情報登録処理）
次に、図８に示されているフローチャートを参照して、編集物作成時における可変情報登録処理について説明する。
【００６６】
まず、ユーザが利用者用端末装置６０を利用してアクセス指示と編集物作成指示を与えると、利用者用端末装置６０がテンプレート管理装置１０にアクセスする。次に、ユーザは利用者用端末装置６０を利用して、テンプレート管理装置１０に登録されているテンプレートを指定し、編集情報を入力する（Ｓ１０）。例えば、テンプレート選択画面やテンプレート検索画面が利用者用端末装置６０の表示部に表示される。その画面上でテンプレートが指定されると、例えば、そのテンプレートの編集画面が利用者用端末装置６０の表示部に表示され、その編集画面において、文字列の入力や画像の置き換え等がユーザによって行われる。例えば、図５に示されているサンプル情報付きテンプレート２００がユーザによって指定された場合、サンプル情報付きテンプレート２００の編集画面が利用者用端末装置６０の表示部に表示される。ユーザが利用者用端末装置６０の操作部を利用することにより、文字列群２１０に含まれる文字列の編集や画像２２０の置き換え等を行う。例えば、図５に示されている文字列群３１０がユーザによって入力され、画像２２０が画像３２０に置き換えられたものとする。文字列群３１０と画像３２０とが編集情報に該当する。文字列群３１０のデータと画像３２０のデータは、利用者用端末装置６０からテンプレート管理装置１０に送信される。テンプレート管理装置１０においては、通信部１２がそれらのデータを受信し、可変情報受付部３６がそれらのデータを受け付ける。そして、編集物作成部３８が、サンプル情報付きテンプレート２００中の文字列群２１０を、ユーザによって入力された文字列群３１０に変更し、画像２２０を、ユーザによって入力された画像３２０に置き換える。これにより、サンプル情報付きテンプレート２００から編集物３００が作成される（Ｓ１１）。
【００６７】
次に、可変情報管理部２８が、編集物３００の中の編集情報を抽出する（Ｓ１２）。図５に示す例では、文字列群３１０と画像３２０が抽出される。抽出された編集情報が非公開情報に該当しない場合（Ｓ１３，Ｎｏ）、処理はステップＳ１７に移行する。ステップＳ１３の判定は、非公開情報管理部３２によって実行される。ステップＳ１７においては、可変情報管理部２８が、編集情報を可変情報として可変情報ＤＢ３０に登録する（Ｓ１７）。例えば、文字列群３１０と画像３２０が非公開情報に該当しない場合、それらが可変情報として可変情報ＤＢ３０に登録される。可変情報管理部２８は、テンプレートＩＤ、サンプル情報フラグ、可変情報ＩＤ、オブジェクトＩＤ、及び、可変情報を互いに対応付け、図６に示されている可変情報管理テーブルによって、それらの情報を管理する。可変情報はユーザに入力された編集情報であるため、サンプル情報フラグは「０」に設定される。図５に示す例で説明すると、可変情報ＩＤは、文字列群３１０及び画像３２０の一式を識別するためのＩＤである。
【００６８】
一方、抽出された編集情報が非公開情報に該当する場合（Ｓ１３，Ｙｅｓ）、処理はステップＳ１４に移行する。その編集情報が文字列の場合（Ｓ１４，Ｙｅｓ）、非公開情報管理部３２は、その編集情報を予め設定され置換情報（公開許可情報）に置換する（Ｓ１５）。例えば、文字列群３１０に含まれる一部又は全部の文字列が非公開情報に該当する場合、非公開情報に該当する情報が置換情報に置換される。一方、非公開情報に該当する編集情報が文字列ではない場合（Ｓ１４，Ｎｏ）、その編集情報は画像に該当するため、非公開情報管理部３２は、その画像に類似する画像を画像ＤＢ３４から取得する（Ｓ１６）。そして、非公開情報管理部３２は、編集情報をその類似画像に置換する。例えば、画像３２０が非公開情報に該当する場合、画像３２０が類似画像に置換される。そして、置換された情報が可変情報として可変情報ＤＢ３０に登録される（Ｓ１７）。なお、置換情報や類似画像は、可変情報ＤＢ３０に登録されなくてもよい。
【００６９】
全編集情報に対してステップＳ１２〜Ｓ１７の処理が完了していない場合（Ｓ１８，Ｎｏ）、処理はステップＳ１２に戻る。そして、全編集情報に対する処理が完了するまで、ステップＳ１２〜Ｓ１７の処理が繰り返し実行される。
【００７０】
全編集情報に対してステップＳ１２〜Ｓ１７の処理が完了した場合（Ｓ１８，Ｙｅｓ）、サムネイル作成部２２が、テンプレートと編集情報とに基づいて、編集物のサムネイル画像を作成する（Ｓ１９）。例えば、編集物３００のサムネイル画像が作成される。このサムネイル画像のデータは、サムネイル画像ＤＢ２６に記憶される（Ｓ２０）。サムネイル管理部２４は、テンプレートＩＤ、可変情報ＩＤ及びサムネイルＩＤを互いに対応付け、図６に示されているサムネイル画像管理テーブルによって、それらの情報を管理する。例えば、編集物３００の作成に用いられたテンプレート１００（つまり、元のテンプレート１００）のテンプレートＩＤ、文字列群３１０及び画像３２０の一式を識別するための可変情報ＩＤ、及び、編集物３００のサムネイル画像のサムネイルＩＤ、が互いに対応付けられる。
【００７１】
次に、編集物のデータ（例えば編集物３００のデータ）が、テンプレート管理装置１０から利用者用端末装置６０に送信される（Ｓ２１）。
【００７２】
以上のように、本実施形態では、テンプレートの登録処理において、テンプレートに予め設定されているサンプル情報（可変情報）の可変情報ＩＤが、そのテンプレートのテンプレートＩＤに対応付けられる。また、編集物の作成処理において、ユーザによって入力された編集情報（可変情報）の可変情報ＩＤが、その編集物の作成に用いられたテンプレートのテンプレートＩＤに対応付けられる。つまり、編集物の作成に用いられたテンプレートには、そのテンプレートに予め設定されているサンプル情報のみならず、その編集物を作成する上でユーザによって入力された編集情報も、対応付けられる。これにより、サンプル情報及び編集情報の中の少なくとも１つを検索キーとして、テンプレートが検索されるようになる。すなわち、サンプル情報のみならず、ユーザによって入力された編集情報も検索キーとして利用されて、テンプレートが検索されるようになる。
【００７３】
（テンプレート検索処理）
次に、図９に示されているフローチャートを参照して、テンプレート検索処理について説明する。
【００７４】
まず、ユーザが利用者用端末装置６０を利用してアクセス指示とテンプレート検索処理指示を与えると、利用者用端末装置６０はテンプレート管理装置１０にアクセスし、テンプレート検索画面が利用者用端末装置６０の表示部に表示される。ユーザはその画面上で、検索条件情報を入力する（Ｓ３０）。例えば、文字列や画像が検索条件情報として入力される。検索条件情報は、利用者用端末装置６０からテンプレート管理装置１０に送信される。テンプレート管理装置１０においては、通信部１２が検索条件情報を受信し、検索条件受付部４０が検索条件情報を受け付ける。そして、テンプレート検索部４２が、検索条件情報に基づき、テンプレート情報ＤＢ２０、サムネイル画像ＤＢ２６及び可変情報ＤＢ３０内を検索する（Ｓ３１）。
【００７５】
検索条件情報に文字列のみが含まれている場合、テンプレート検索部４２は、検索条件情報に含まれる文字列を検索キーとして検索処理を実行する。検索条件情報に画像が含まれている場合、テンプレート検索部４２は、その画像に付帯されている画像属性情報（例えば、その画像の内容を表すキーワード）を抽出し、その画像属性情報を検索キーとして検索処理を実行する。また、検索条件情報に文字列と画像とが含まれている場合、テンプレート検索部４２は、その文字列と画像の画像属性情報とを検索キーとして検索処理を実行する。以下、この検索処理について説明する。
【００７６】
まず、可変情報ＤＢ３０に登録されている可変情報が文字列である場合（Ｓ３２，Ｙｅｓ）において、検査キーに適合する可変情報が検索された場合（Ｓ３３，Ｙｅｓ）、検索結果が一時的に保存される（Ｓ３４）。一方、可変情報ＤＢ３０に登録されている可変情報が画像である場合（Ｓ３２，Ｎｏ）、テンプレート検索部４２は、その画像の画像属性情報を抽出する（Ｓ３５）。そして、検索キーに適合する画像属性情報が検索された場合（Ｓ３６，Ｙｅｓ）、検索結果が一時的に保存される（Ｓ３４）。検索キーに適合する可変情報が検索されなかった場合（Ｓ３３，Ｎｏ、Ｓ３６，Ｎｏ）、処理はステップＳ３７に移行する。
【００７７】
具体的には、テンプレート検索部４２は、可変情報ＤＢ３０内において、検索キーに適合する可変情報（又は画像属性情報）を検索する。例えば、テンプレート検索部４２は、図６に示されている可変情報管理テーブルにおいて、その検索キーに合致する又は検索キーを含む可変情報（又は画像属性情報）を検索する。例えば、文字列「旅行」が検索キーとして用いられる場合、可変情報管理テーブルにおいて、可変情報「楽しい旅行へ」が検索され、更に、その可変情報「楽しい旅行へ」に対応付けられているテンプレートＩＤ、サンプル情報フラグ及び可変情報ＩＤが特定される。この例では、テンプレートＩＤは「１」であり、サンプル情報フラグは「０」であり、可変情報ＩＤは「２」である。つまり、検索された可変情報「楽しい旅行へ」は、テンプレートＩＤが「１」のテンプレートに対応付けられていることになる。また、サンプル情報フラグが「０」であるため、その可変情報「楽しい旅行へ」は、テンプレートに予め設定されているサンプル情報ではなく、ユーザによって入力された編集情報である。また、テンプレート検索部４２は、テンプレート情報ＤＢ２０において、そのテンプレートＩＤ「１」が対応付けられているテンプレートを検索する。また、テンプレート検索部４２は、サムネイル画像ＤＢ２内において、テンプレートＩＤ「１」が対応付けられているサムネイル画像（テンプレート自体のサムネイル画像、編集物のサムネイル画像）を検索する。図６に示す例では、サムネイルＩＤ「xab0234eaeee」と「Pliega84kq32」とに、テンプレートＩＤ「１」が対応付けられている。それ故、サムネイルＩＤ「xab0234eaeee」のサムネイル画像と「Pliega84kq32」のサムネイル画像が検索され、サムネイル画像ＤＢ２６から取得される。なお、サムネイルＩＤ「Pliega84kq32」には可変情報ＩＤ「２」が対応付けられている。上記のように、可変情報ＩＤ「２」にはサンプル情報フラグ「０」が対応付けられているため、サムネイルＩＤ「Pliega84kq32」のサムネイル画像は、ユーザによって編集された編集物のサムネイル画像に該当する。一方、サムネイルＩＤ「xab0234eaeee」のサムネイル画像は、元々のサンプル情報付きテンプレートのサムネイル画像に該当する。一例として、サムネイルＩＤ「xab0234eaeee」のサムネイル画像は、図５に示されているサンプル情報付きテンプレート２００のサムネイル画像であり、サムネイルＩＤ「Pliega84kq32」のサムネイル画像は、編集物３００のサムネイル画像であるとする。
【００７８】
このようにして、検索条件に適合する情報（テンプレートＩＤ、テンプレート名、サムネイル画像等）が検索され、これらの情報は一時的に保存される（Ｓ３４）。
【００７９】
そして、可変情報ＤＢ３０内の全可変情報に対してステップＳ３１〜Ｓ３６の処理が完了した場合（Ｓ３７，Ｙｅｓ）、検索結果（テンプレートＩＤ、テンプレート名、サムネイル画像等）のデータが、テンプレート管理装置１０から利用者用端末装置６０に送信される（Ｓ３８）。その検索結果は、利用者用端末装置６０の表示部に表示される。ユーザは、その検索結果を参照することにより、目的のテンプレートを選択することになる。
【００８０】
一方、可変情報ＤＢ３０内の全可変情報に対してステップＳ３１〜Ｓ３６の処理が完了していない場合（Ｓ３７，Ｎｏ）、処理はステップＳ３１に戻る。そして、可変情報ＤＢ３０内の全可変情報に対して検索処理が完了するまで、ステップＳ３１〜Ｓ３６の処理が繰り返し実行される。
【００８１】
図１０には、テンプレート検索結果の画面の一例が示されている。この画面は、利用者用端末装置６０の表示部に表示される。検索条件として、キーワード「旅行」が利用されたものとする。上述した検索処理により、キーワード「旅行」を含む可変情報が対応付けられている情報（テンプレートやサムネイル画像等）が検索され、そのテンプレートに関する情報とサムネイル画像が検索結果として表示されている。ここでは、テンプレート名が「開店チラシＡ３縦、ＯＰＥＮ−Ａ３−００１」のテンプレートと、テンプレート名が「旅行チラシＡ４横、Ｔｒａｖｅｌ−Ａ４−００３」のテンプレートと、が検索されている。各テンプレートの名称、テンプレートのサムネイル画像、登録日、利用回数、公開状態、説明文、及び、テンプレートに基づいて作成された編集物のサムネイル画像が、検索結果として表示されている。
【００８２】
サムネイル画像４００は、テンプレート名が「開店チラシＡ３縦、ＯＰＥＮ−Ａ３−００１」のテンプレートのサムネイル画像であり、例えば、図５に示されているサンプル情報付きテンプレート２００のサムネイル画像である。サムネイル画像４０２は、サンプル情報付きテンプレート２００に基づいて作成された編集物のサムネイル画像であり、例えば図５に示されている編集物３００のサムネイル画像である。図１０に示す例では、サムネイル画像４０２は、サムネイル画像４００に対応付けられて表示されている。サムネイル画像４０４は、別のサンプル付きテンプレートのサムネイル画像である。
【００８３】
サムネイル画像４００に対応する「開店チラシＡ３縦、ＯＰＥＮ−Ａ３−００１」のテンプレートは、飲食店開店用チラシを作成するためのテンプレートである。そのため、図５に示すように、サンプル情報付きテンプレート２００のサンプル情報（文字列群２１０）には、文字列「オープン！！」等のように開店に関する文字列が含まれているが、文字列「旅行」は含まれていない。一方で、サンプル情報付きテンプレート２００に基づいて編集物３００が作成されており、編集物３００の作成時に入力された編集情報（文字列群３１０、画像３２０）が可変情報としてサンプル情報付きテンプレート２００に対応付けられている。編集物３００は旅行パンフレットであり、編集物３００には旅行に関する文字列が含まれている。具体的には、図５に示すように、文字列群３１０には、文字列「楽しい旅行へ」が含まれており、その文字列「楽しい旅行へ」には文字列「旅行」が含まれている。この文字列「楽しい旅行へ」は、編集物３００の作成時において、可変情報としてサンプル情報付きテンプレート２００に対応付けられる。それ故、文字列「旅行」が検索キーワードとして使用された場合、検索キーワード「旅行」を含む可変情報「楽しい旅行へ」が検索され、その可変情報「楽しい旅行へ」に対応付けられているテンプレートＩＤが特定される。さらに、そのテンプレートＩＤに対応付けられているサムネイル画像４００，４０２が特定される。このように、検索キーワード「旅行」に対応する文字列がサンプル情報としてテンプレートに予め設定されていなくても、そのテンプレートに依拠して作成された編集物の編集情報に含まれている場合には、その編集物のサムネイル画像のみならず、その編集物の作成に用いられたテンプレートまでもが検索されることになる。その結果、サンプル情報付きテンプレート２００のテンプレート名、そのサムネイル画像４００、そのテンプレートの登録日、利用回数、状態、説明文、及び、編集物３００のサムネイル画像４０２が、対応付けられて表示される。
【００８４】
サムネイル画像４０４に対応する「旅行チラシＡ４横、Ｔｒａｖｅｌ−Ａ４−００３」のテンプレートは、旅行パンフレットを作成するためのテンプレートであり、そのテンプレートに設定されているサンプル情報には「旅行」の文字列が含まれている。それ故、文字列「旅行」が検索キーワードとして使用された場合、その旅行パンフレット用のテンプレートとサムネイル画像４０４とが検索される。なお、このテンプレートに基づいて編集物が作成されていないため、編集物のサムネイル画像の表示欄には、「Ｎｏ  Ｉｍａｇｅ」と表示されている。
【００８５】
以上のように、本実施形態では、テンプレートを用いて編集物を作成する際に用いられた編集情報が、可変情報として当該テンプレートに対応付けられる。それ故、テンプレートに予め設定されているサンプル情報のみならず、編集情報をも利用としてテンプレート検索処理が実行されることになる。これにより、テンプレートに元々設定されているサンプル情報に検索キーが適合しない場合であっても、そのテンプレートに依拠して作成された編集物に設定されている編集情報に検索キーが適合する場合には、そのテンプレートが検索されることになる。もちろん、テンプレートに予め設定されているサンプル情報に適合する検索キーが用いられた場合には、そのテンプレートは検索される。このように、本実施形態によると、テンプレートに依拠して作成された編集物に設定されている編集情報も利用して検索が行われる。これにより、ユーザの利用目的に適したテンプレートが検索されるようになる。
【００８６】
例えば、あるユーザが、実際に、飲食店開店用のサンプル情報付きテンプレート２００から旅行パンフレット用の編集物３００を作成したとする。この場合であっても、別のユーザにとっては、サンプル情報付きテンプレート２００から編集物３００が作成されることをイメージすることは容易ではないと想定される。サンプル情報付きテンプレート２００は飲食店開店用のテンプレートであり、編集物３００は旅行パンフレットであり、それぞれ対象としているものが全く異なるからである。そのため、サンプル情報付きテンプレート２００が、旅行パンフレットを作成するためのテンプレートに適している場合であっても、別のユーザが旅行パンフレットを作成する上で、サンプル情報付きテンプレート２００が選択されないことが想定される。また、サンプル情報のみでテンプレートを検索する場合、サンプル情報付きテンプレート２００が検索されないこともあり得る。本実施形態によると、このような場合であっても、サンプル情報付きテンプレート２００が検索されることになる。
【００８７】
本実施形態によると、編集物が作成される度に、その編集物の作成に用いられた編集情報（可変情報）がテンプレートに対応付けられることになる。これにより、テンプレートの作成時には想定されていなかった用途に関する可変情報がテンプレートに対応付けられ、その用途に関する検索キーを用いて当該テンプレートが検索されるようになる。例えば、あらゆる用途（例えば、あらゆる業種や職業や使用目的等）に対応するために、個々の用途に適したテンプレートとサンプル情報とを予め作成しておくことが考えられる。しかし、この手法によると、膨大なテンプレートとサンプル情報とを予め作成しておく必要があるため、現実的ではない。これに対して、本実施形態によると、他の用途に関する可変情報もテンプレートに対応付けられるようになっているため、テンプレートの利用回数が増えるほど、そのテンプレートが対応する用途の数が増大し得ることになる。それ故、あらゆる用途に適したテンプレートとサンプル情報とを予め作成しておかなくても、ユーザの利用目的に適したテンプレートが検索されるようになる。
【００８８】
上記のテンプレート管理装置１０は、一例としてハードウェア資源とソフトウェアとの協働により実現される。具体的には、テンプレート管理装置１０は、図示しないＣＰＵ等のプロセッサを備えている。当該プロセッサが、図示しない記憶装置に記憶されたプログラムを読み出して実行することにより、テンプレート管理装置１０の各部の機能が実現される。上記プログラムは、ＣＤやＤＶＤ等の記録媒体を経由して、又は、ネットワーク等の通信経路を経由して、記憶装置に記憶される。または、テンプレート管理装置１０の各部は、例えばプロセッサや電子回路等のハードウェア資源により実現されてもよい。その実現においてメモリ等のデバイスが利用されてもよい。別の例として、テンプレート管理装置１０の各部は、ＤＳＰ（Digital Signal Processor）やＦＰＧＡ（Field Programmable Gate Array）等によって実現されてもよい。
【符号の説明】
【００８９】
１０  テンプレート管理装置、１２  通信部、１４  Ｗｅｂサーバ、１６  テンプレート登録部、１８  テンプレート管理部、２０  テンプレート情報ＤＢ、２２  サムネイル作成部、２４  サムネイル管理部、２６  サムネイル画像ＤＢ、２８  可変情報管理部、３０  可変情報ＤＢ、３２  非公開情報管理部、３４  画像ＤＢ、３６  可変情報受付部、３８  編集物作成部、４０  検索条件受付部、４２  テンプレート検索部、５０  提供者用端末装置、６０  利用者用端末装置。
【図１】
0006596850.tif 000002
【図２】
0006596850.tif 000003
【図３】
0006596850.tif 000004
【図４】
0006596850.tif 000005
【図５】
0006596850.tif 000006
【図６】
0006596850.tif 000007
【図７】
0006596850.tif 000008
【図８】
0006596850.tif 000009
【図９】
0006596850.tif 000010
【図１０】
0006596850.tif 000011